【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
少なくとも第１の光学部材と該第１の光学部材に対して接着される第２の光学部材とを含む複数の光学部材により構成された光学ユニットであって、
前記第２の光学部材は、前記第１の光学部材との接着面とは反対側であって、前記接着面に対向する領域内において、前記接着面に対して略平行であって、該光学ユニットに入射した光線に対して光学的に作用しない面である第１の面を有することを特徴とする光学ユニット。
【請求項２】
前記第１の面は、前記接着面の接着に際して、前記第２の光学部材を前記接着面と直交する方向に押す力を作用させる面であることを特徴とする請求項１に記載の光学ユニット。
【請求項３】
前記第２の光学部材は、該第２の光学部材の本体に前記第１の面を有する別の部材を取り付けて構成されていることを特徴とする請求項１又は２に記載の光学ユニット。
【請求項４】
第１の光学部材と、該第１の光学部材に対して接着される第２の光学部材と、該第２の光学部材に対して接着される第３の光学部材を有する光学ユニットであって、
前記第２の光学部材は、前記第１の光学部材との接着面と、この接着面に対して略平行な第１の面を有し、
かつ前記第３の光学部材は、前記第２の光学部材との接着面と、この接着面に対して略平行な第２の面を有することを特徴とする光学ユニット。
【請求項５】
該光学ユニットは、入射した光を複数の色光に分解して射出する色分解素子であることを特徴とする請求項１から４のいずれか１つに記載の光学ユニット。
【請求項６】
前記第２の光学部材に、複数の画素を有するデバイスが接着されることを特徴とする請求項１から５のいずれか１つに記載の光学ユニット。
【請求項７】
請求項１から６のいずれか１つに記載の光学ユニットを有することを特徴とする光学装置。
【請求項８】
請求項１から６のいずれか１つに記載の光学ユニットと、
該光学ユニットから射出した光を光電変換する光電変換素子とを有することを特徴とする撮像装置。
【手続補正２】
【補正対象書類名】明細書
【補正対象項目名】０００３
【補正方法】変更
【補正の内容】
【０００３】
同図において、３００１，３００２，３００３は色分解プリズムユニット３０００を構成する第１から第３のプリズム部材である。第１のプリズム部材３００１は不図示のベース部材に固定される。第２のプリズム部材３００２は、第１のプリズム部材３００１の面３００１ａに接着される。また、第３のプリズム部材３００３は、第２のプリズム部材３００２の面３００２ａに接着される。
【手続補正３】
【補正対象書類名】明細書
【補正対象項目名】００１４
【補正方法】変更
【補正の内容】
【００１４】
上記の目的を達成するために、１つの観点としての本発明の光学ユニットは、少なくとも第１の光学部材と該第１の光学部材に対して接着される第２の光学部材とを含む複数の光学部材により構成された光学ユニットにおいて、第２の光学部材は、第１の光学部材との接着面とは反対側であって、上記接着面に対向する領域内において、上記接着面に対して略平行であって、光学ユニットに入射した光線に対して光学的に作用しない面である第１の面を有する。
【手続補正４】
【補正対象書類名】明細書
【補正対象項目名】００１５
【補正方法】変更
【補正の内容】
【００１５】
また、他の観点としての本発明の光学ユニットは、第１の光学部材と、該第１の光学部材に対して接着される第２の光学部材と、該第２の光学部材に対して接着される第３の光学部材を有する光学ユニットにおいて、第２の光学部材は、第１の光学部材との接着面と、この接着面に対して略平行な第１の面を有し、かつ第３の光学部材は、第２の光学部材との接着面と、この接着面に対して略平行な第２の面を有する。
【手続補正５】
【補正対象書類名】明細書
【補正対象項目名】００２２
【補正方法】変更
【補正の内容】
【００２２】
第１のプリズム部材１００１の面１００１ａには、光束１００４のうち緑色の波長成分１００４ａを反射し、緑色以外の波長成分（青色及び赤色の波長成分）を透過する第１のダイクロイック膜が形成されている。また、第２のプリズム部材１００２の面１００２ａには、青色の波長成分１００４ｂを反射して、赤色の波長成分１００４ｃを透過する第２のダイクロイック膜が形成されている。
【手続補正６】
【補正対象書類名】明細書
【補正対象項目名】００３２
【補正方法】変更
【補正の内容】
【００３２】
さらに、第２のプリズム部材１００２の押し面１００２ｄは、該第２のプリズム部材１００２の接着面１００２ｃとは反対側において該接着面１００２ｃに対向する領域Ａ内に配置されている。すなわち、図１（Ａ）で言えば、接着面１００２ｃの両端からこの第２のプリズム部材１００２の内側に向かって延びる、該接着面１００２ｃに対する２本の垂線により挟まれた領域Ａ内に形成されている。以下、このような領域を単に「接着面に対向する領域」と称する。これにより、押し面１００２ｄが領域Ａから外れた位置に形成されている場合に比べて、より効果的に接着面１００２ｃに対して均一な押圧力を作用させることができる。
【手続補正７】
【補正対象書類名】明細書
【補正対象項目名】００３６
【補正方法】変更
【補正の内容】
【００３６】
次に、撮像素子１００７の撮像信号をモニタし、その結像状態が最良となるように第３のプリズム部材１００３を面１００２ａに沿って移動させ、光路長調整を行う。さらに、撮像素子１００５，１００６，１００７を、テストチャートに対して所定の位置関係となるよう各プリズム部材の射出面１００１ｂ，１００２ｂ，１００３ｂに沿ってそれぞれ移動させ、画素の位置合わせ（レジストレーション）調整を行う。これにより、各撮像素子の中心位置が、プリズムユニット１０００の光軸に略一致したことになる。
【手続補正８】
【補正対象書類名】明細書
【補正対象項目名】００４５
【補正方法】変更
【補正の内容】
【００４５】
したがって、押し面２００４ａに矢印方向１０１４に押す力を加えると、第３のプリズ
ム部材２００３の接着面２００３ａと被接着面である第２のプリズム部材１００２の面１００２ａとの間には、それらの面内において概ね均一な押圧力が作用する。したがって、これら接着面と被接着面との間の液状接着剤の厚みを略均一にすることができ、接着剤硬化後の画素ずれを抑えることができる。
【手続補正９】
【補正対象書類名】明細書
【補正対象項目名】００４８
【補正方法】変更
【補正の内容】
【００４８】
図４において、光源ランプ３０１からの白色光は、フライアイレンズアレイ３０２，３０４及びミラー３０３で複数の光束に分割され、レンズ３０５により集光されて第１のダイクロイックミラー３０６に入射する。白色光のうち赤色波長成分は、第１のダイクロイックミラー３０６により反射され、ミラー３０７、レンズ３１１を介して透過型液晶パネル３１４に至る。該液晶パネル３１４には、不図示のパーソナルコンピュータ、ＤＶＤプレーヤ等の画像情報供給装置から入力された映像信号に応じた原画が形成されており、該液晶パネル３１４に入射した赤色波長光は原画の画素ごとに変調され、色合成プリズムユニット３２０に入射する。
【手続補正１０】
【補正対象書類名】明細書
【補正対象項目名】００４９
【補正方法】変更
【補正の内容】
【００４９】
また、第１のダイクロイックミラー３０６を透過した光のうち緑色波長成分は、第２のダイクロイックミラー３０８で反射し、レンズ３１２を介して透過型液晶パネル３１５に入射する。ここに入射した緑色波長光も、赤色波長光と同様に液晶パネル３１５に形成された原画に応じて変調され、色合成プリズムユニット３２０に入射する。
【手続補正１１】
【補正対象書類名】明細書
【補正対象項目名】００５０
【補正方法】変更
【補正の内容】
【００５０】
さらに、第２のダイクロイックミラー３０８を透過した青色波長光は、ミラー３０９，３１０およびレンズ３１３を介して透過型液晶パネル３１６に入射する。ここに入射した青色波長光も、他の波長光と同様に液晶パネル３１６に形成された原画に応じて変調され、色合成プリズムユニット３２０に入射する。
【手続補正１２】
【補正対象書類名】明細書
【補正対象項目名】００５１
【補正方法】変更
【補正の内容】
【００５１】
なお、液晶パネル３１４〜３１６はそれぞれ、第１から第３のプリズム部材３２１〜３２３の入射面に、保持部材３４０を介して接着固定されている。